(57)【特許請求の範囲】
【請求項１】
携帯端末の端子と接続する管理側入出力コネクタと、
照合コードを記憶する照合コードデータベースと、
入出力状態にデータを記憶し管理する管理データベースと、
入退出管理装置内のデータ管理の制御を行う管理手段とを備え、
前記管理手段のデータ管理処理を行うデータ処理装置は、
前記管理側入出力コネクタと携帯端末の端子との接続を検出した時において、
携帯端末に照合コードが未設定である場合には、携帯端末に対する照合コードを設定し、当該照合コードを前記管理側入出力コネクタを介して前記携帯端末に送り、前記携帯端末が備える記憶手段に照合コードを記憶させるとともに、管理手段側の照合コードデータベースに照合コードを記憶させ、
携帯端末に照合コードが設定済みである場合には、携帯端末の記憶手段と前記照合コードデータベースに記憶される照合データをそれぞれ読み込み、読み込んだ各照合データを照合するデータ処理を行い、当該照合データ処理の照合結果に基づいて入退出状態を検出し、当該入退出状態を管理データベースに記録し管理することを特徴とする入退出管理装置。
【請求項２】
入出力管理装置の管理手段と接続してデータを授受する遊技制御手段と、
携帯端末の端子と接続する遊技側入出力コネクタと、
照合コードを格納する遊技側照合コードデータベースと、
遊技制御手段によって制御される遊技機器とを備え、
前記管理側入出力コネクタと携帯端末の端子との接続を検出した時において、
携帯端末に照合コードが未設定である場合には、携帯端末に対する照合コードを設定し、当該照合コードを前記管理側入出力コネクタを介して前記携帯端末に送り、前記携帯端末が備える記憶手段に照合コードを記憶させるとともに、管理手段側の照合コードデータベースに照合コードを記憶させておき、
前記遊技制御手段のデータの送受信を行うデータ処理装置は、
前記遊技側入出力コネクタを介して携帯端末の記憶手段から照合コードを読み込み、
遊技側照合コードデータベースから照合コードを読み出し、
前記携帯端末の記憶手段から読み出した照合コードと、遊技側照合コードデータベースから読み出した照合コードとを照合するデータ処理を行い、
この照合データ処理により照合コードが一致したときには前記遊技機器の実行を許容することを特徴とする、遊技装置。
【請求項３】
入出力管理装置の管理手段と接続してデータを授受する遊技制御手段と、
携帯端末の端子と接続する遊技側入出力コネクタと、
照合コードを格納する遊技側照合コードデータベースと、
前記遊技制御手段によって制御される遊技機器とを備え、
前記管理側入出力コネクタと携帯端末の端子との接続を検出した時において、
携帯端末に照合コードが未設定である場合には、携帯端末に対する照合コードを設定し、当該照合コードを前記管理側入出力コネクタを介して前記携帯端末に送り、前記携帯端末が備える記憶手段に照合コードを記憶させるとともに、管理手段側の照合コードデータベースに照合コードを記憶させておき、
前記遊技制御手段のデータの送受信を行うデータ処理装置は、
前記遊技側入出力コネクタを介して携帯端末の記憶手段から照合コードを読み込み、
当該照合データを入出力管理装置の管理手段に送信し、前記管理手段において送信した照合データと入退出管理装置が管理する照合コードとを照合データ処理させ、
この照合データ処理により照合コードが一致したときには遊技機器の実行を許容することを特徴とする、遊技装置。
【請求項４】
入出力管理装置の管理手段と接続してデータを授受する課金御手段と、
携帯端末の端子と接続する課金側入出力コネクタと、
課金制御手段によって制御される遊技機器とを備え、
前記管理手段のデータ管理処理を行うデータ処理装置は、
前記管理側入出力コネクタと携帯端末の端子との接続を検出した時において、
携帯端末に照合コードが未設定である場合には、携帯端末に対する照合コードを設定し、当該照合コードを前記管理側入出力コネクタを介して前記携帯端末に送り、前記携帯端末が備える記憶手段に照合コードを記憶させるとともに、管理手段側の照合コードデータベースに照合コードを記憶させ、
前記課金制御手段のデータの送受信を行うデータ処理装置は、
前記課金側入出力コネクタを介して携帯端末の記憶手段から照合コードを読み込み、
当該読み出した照合コードと、遊技機器が備える遊技照合コードデータベースに格納している照合コードを読み出し、
前記読み出した両照合コードの照合データ処理を行い、
この照合データ処理により照合コードが一致したときには前記課金処理の実行を許容することを特徴とする、課金装置。
【請求項５】
入出力管理装置の管理手段と接続してデータを授受する課金制御手段と、
携帯端末の端子と接続する課金側入出力コネクタとを備え、
前記課金制御手段のデータの送受信を行うデータ処理装置は、
前記課金側入出力コネクタを介して携帯端末の記憶手段から照合コードを読み込み、
この読み込んだ照合コードを入出力管理装置の管理手段に送信し、前記管理手段において送信した照合データと入退出管理装置が管理する照合コードとを照合データ処理させ、
この照合データ処理により照合コードが一致したときには課金処理の実行を許容することを特徴とする、請求項４に記載の課金装置。
【請求項６】
前記課金制御手段のデータの送受信を行うデータ処理装置は、
前記課金処理の実行によって得られた課金情報を、前記課金側入出力コネクタを介して前記携帯端末に送信することを特徴とする、請求項４又は５に記載の課金装置。
【請求項７】
前記課金制御手段のデータの送受信を行うデータ処理装置は、
前記課金処理の実行によって得られた課金情報を、管理手段を介して入退出管理装置に送信し、
当該入退出管理装置のデータの送受信を行うデータ処理装置は、
前記入退出管理装置が備える管理側入出力コネクタを介して接続される携帯端末に課金情報を送信することを特徴とする、請求項４又は５に記載の課金装置。
【請求項８】
前記課金制御手段は、前記携帯端末から前記課金側入出力コネクタを介して金融機関の暗証コードを受信し、
当該金融機関の暗証コードを前記入退出管理装置を経由して金融機関に転送し、
金融機関による課金処理を許容することを特徴とする、請求項７に記載の課金装置。
【請求項９】
携帯端末の端子と接続する管理側入出力コネクタと管理データベースと入退出管理装置内のデータ管理の制御を行う管理手段と請求処理手段とを備える入出力管理装置と、
携帯端末の端子と接続する遊技側入出力コネクタと遊技制御手段とを備える遊技装置と、
携帯端末の端子と接続する課金側入出力コネクタと課金制御手段とを備える課金装置とを備え、
前記管理手段のデータ管理処理を行うデータ処理装置は、
前記管理側入出力コネクタと携帯端末の端子との接続を検出した時において、
携帯端末に照合コードが未設定である場合には、携帯端末に対する照合コードを設定し、当該照合コードを前記管理側入出力コネクタを介して前記携帯端末に送り、前記携帯端末が備える記憶手段に照合コードを記憶させるとともに、管理手段側の照合コードデータベースに照合コードを記憶させ、
携帯端末に照合コードが設定済みである場合には、携帯端末の記憶手段と前記照合コードデータベースに記憶される照合データをそれぞれ読み込み、読み込んだ各照合データを照合するデータ処理を行い、当該照合データ処理の照合結果に基づいて入退出状態を検出し、当該入退出状態を管理データベースに記録し管理し、
前記遊技制御手段のデータの送受信を行うデータ処理装置は、
前記遊技側入出力コネクタを介して携帯端末の記憶手段から照合コードを読み込み、
遊技側照合コードデータベースから照合コードを読み出し、
前記携帯端末の記憶手段から読み出した照合コードと、遊技側照合コードデータベースから読み出した照合コードとを照合するデータ処理を行い、
この照合データ処理により照合コードが一致したときには前記遊技機器の実行を許容し、
前記課金制御手段のデータの送受信を行うデータ処理装置は、
前記課金側入出力コネクタを介して携帯端末の記憶手段から照合コードを読み込み、
当該読み出した照合コードと、遊技装置が備える遊技照合コードデータベースに格納している照合コードを読み出し、
前記読み出した両照合コードの照合データ処理を行い、
この照合データ処理により照合コードが一致したときには課金処理の実行を許容し、
課金側入出力コネクタを介して受け取った携帯端末からの清算要求を遊技装置に転送し、
遊技装置の遊技制御手段は、前記請求要求を受けて課金データベースから課金データを読み出して清算データを作成し、
前記課金制御手段のデータ処理装置は、前記一つの清算データを複数の支払額に分割した清算データを設定し、当該分割した清算データを管理データベース内の顧客データベースに転送して格納させ、
入退出管理装置の管理手段は、前記遊技制御手段から転送されるデータを受けて清算処理を行い課金データベースおよび顧客データベースを更新することで、入退出管理装置は複数の遊技装置および課金装置を管理することを特徴とする遊技設備。
【請求項１０】
前記請求処理手段は、
前記顧客データベースから請求データを読み出して精算書を作成し、当該精算書を外部の送付処理部から発行することを特徴とする、請求項９に記載の遊技設備。
【請求項１１】
前記管理手段のデータ処理装置は、前記管理者側入出力コネクタ、遊技者側入出力コネクタ、課金側入出力コネクタの何れかのコネクタを介して前記請求データを送信することを特徴とする、請求項９に記載の遊技設備。
【発明の詳細な説明】
【０００１】
【発明の属する技術分野】
本発明は、入退出管理装置、遊技装置、課金装置、及び遊技施設に関し、特に、携帯端末を用いて各処理を行う装置及び施設に関する。
【０００２】
【従来の技術】
各種ゲーム、カラオケ、あるいは映像や音響を提供する各種遊技装置は、従来単独で動作し、それぞれ個別に現金あるいはプリペイドカードによって支払いを行っている。このような現金あるいはプリペイドカードによる支払いでは、手持ちが少ないや場合やプリペイドカードの残金が少ない場合には、支払いが困難となるという使い勝手の点で問題がある。そこで、このような問題点を解決する一方法として、クレジットカードやデビットカード等のカードを用いた支払い方法があり、さらには、携帯電話等の携帯端末やＩＣカードを用いて支払いを行う方法が提案されている。
【０００３】
クレジットカードやデビットカードによる支払いでは、店頭において店員あるいは利用者がカードを操作して金融機関と接続し支払いを行うものである。また、携帯端末やＩＣカードを用いた支払いでは、各遊技装置との間において無線による通信接続を行い、携帯端末やＩＣカード側からＩＤコードや暗証番号を送信することによって金融機関と接続を行い、各金融機関から料金の引き落としを行うことができる。
【０００４】
【発明が解決しようとする課題】
クレジットカードやデビットカードによる支払いでは、店頭での支払いが主であるため、遊技装置単体における支払いに適していないという問題がある。
一方、携帯端末やＩＣカードを用い無線によって支払いを行う場合には、現金あるいはプリペイドカードによる問題や、クレジットカードやデビットカードによる問題は解消されるが、セキュリティーや使用者の安心感の点で解決すべき問題が残っている。
【０００５】
携帯端末やＩＣカードは、課金を行う装置との間において無線による信号の送受信を行っているため、ＩＤコードや暗証番号等の重要情報が外部に漏れるおそれがあり、このための対策を施す必要がある。
このような情報の漏洩に対する対策がなされた課金システムであっても、利用者側からはその安全性が充分に認識することができないため、心理的に常に不安感をもって使用することとなる。そのため、携帯端末を用いた課金等を行うシステムでは、課金以外にも情報の提供等の様々な利用が期待されるにもかかわらず、普及を阻害する要因となるおそれがある。
【０００６】
そこで、本発明は、携帯端末を用いた処理に対して利用者に安心感をもたせることを目的とし、さらに、遊技施設における課金や入退出管理での携帯端末の利用において、利用者に安心感をもたせることを目的とする。
【０００７】
【課題を解決するための手段】
本発明は、携帯端末との通信をコネクタを介して行うことで、無線による情報の漏洩の不安感を排除する。本発明のコネクタによる携帯端末との接続は、遊技施設が備える入退出管理装置、遊技装置、及び課金装置の各装置に適用することができる。
さらに、入退出管理装置において携帯端末を特定することによって、遊技装置での遊技情報や課金装置での課金情報を統括して管理することができる。
【０００８】
本発明の第１の態様は、入退出管理装置に関する。
本発明の入退出管理装置は、遊技施設における利用者の入退出を管理する。本発明の入退出管理装置は、携帯端末の端子と接続する管理側入出力コネクタと、管理データベースと、管理手段とを備える。利用者は、携帯端末の端子を管理側入出力コネクタに接続することによって、管理手段との間で情報の授受を行う。管理手段は、管理側入出力コネクタと携帯端末の端子との接続に基づいて入退出状態を検出し、この入退出状態を管理データベースに記録し管理する。
【０００９】
また、管理手段は、管理側入出力コネクタと携帯端末の端子との接続に基づいて利用者の入りを検出すると照合コードを定め、この照合コードを管理側入出力コネクタを介して携帯端末に設定する。また、この照合コードは、遊技施設内の遊技装置や課金装置にも設定する。この照合コードを用いることで、遊技施設内の遊技装置の遊技情報や課金装置の課金情報を利用者単位で管理することができ、また、利用者も各自の遊技情報や課金情報を確認することができる。
【００１０】
管理データベースは、遊技装置の遊技状態を記録する遊技装置管理データベース、入退出管理装置、遊技施設内の課金状態を記録する課金データ、及び顧客データを備える。課金データは、入退出管理装置で発生する課金情報、遊技装置で発生する課金情報、課金装置で管理される課金情報とすることができる。
したがって、入退出管理装置は、利用者が遊技施設を利用する際の入退出管理の他、各利用者が遊技施設を利用することで発生する課金を管理することもできる。
【００１１】
本発明の第２の態様は、遊技装置に関する。
本発明の遊技装置は、携帯端末の端子と接続する遊技側入出力コネクタと、遊技制御手段とを備える。利用者は、携帯端末の端子を遊技側入出力コネクタに接続することによって、遊技制御手段との間で情報の授受を行う。遊技制御手段は、遊技側入出力コネクタと携帯端末の端子との接続に基づいて遊技制御を行う。また、遊技制御手段は、携帯端末に設定される照合コードと、遊技側入出力コネクタを介して携帯端末から入力した照合コードとを照合し、この両照合コードが一致した場合に遊技の実行を許容する構成とすることができる。
【００１２】
また、照合コードの照合は、遊技制御手段に代えて入退出管理装置内の管理手段で行うこともできる、この場合には、遊技制御手段は、遊技側入出力コネクタを介して携帯端末から入力した照合コードを入退出管理装置の管理手段に送信する。管理手段は、入退出管理装置が管理する照合コードと照合し、照合コードの一致に基づいて遊技を許容する。
【００１３】
本発明の第３の態様は、課金装置に関する。
本発明の課金装置は、携帯端末の端子と接続する課金側入出力コネクタと、課金制御手段とを備える。利用者は、携帯端末の端子を課金側入出力コネクタに接続することによって、課金制御手段との間で情報の授受を行う。課金制御手段は、課金側入出力コネクタを介して携帯端末との間で課金処理を行う。
また、課金制御手段は、携帯端末に定された照合コードと、課金側入出力コネクタを介して携帯端末から入力した照合コードとを照合し、コードの照合時に課金処理を開始する構成とすることができる。
【００１４】
また、課金処理は、課金装置内の課金制御手段に代えて入退出管理装置内の管理手段で行うこともできる、この場合には、課金制御手段は、課金側入出力コネクタを介して携帯端末から入力した照合コードを入退出管理装置の管理手段に送信する。管理手段は、入退出管理装置が管理する照合コードと照合させ、照合コードの一致に基づいて課金処理を開始する。
【００１５】
課金制御手段は、課金処理の他に、課金情報を携帯端末に送ることもできる。この課金情報の携帯端末への送信は、課金制御手段から課金側入出力コネクタを介して携帯端末に行う他、課金制御手段はから入退出管理装置に送信し、入退出管理装置が備える管理側入出力コネクタを介して携帯端末に行う構成とすることもできる。
【００１６】
課金処理において、携帯端末は課金側入出力コネクタや管理側入出力コネクタを介して課金制御手段に金融機関の暗証コードを送信し、金融機関による課金処理を許容する。この課金処理において、入退出管理装置は、複数の入退出管理装置と複数の金融機関との間の課金処理を経由するデータ処理手段を介して金融機関と接続して行う他に、金融機関と直接接続して課金処理を行うこともできる。
【００１７】
本発明の第４の態様は、遊技施設に関する。
本発明の遊技施設は、携帯端末の端子と接続する管理側入出力コネクタと管理データベースと管理手段とを備える入出力管理装置と、携帯端末の端子と接続する遊技側入出力コネクタと遊技制御手段とを備える遊技装置と、携帯端末の端子と接続する課金側入出力コネクタと課金制御手段とを備える課金装置を備える。
【００１８】
管理手段は、管理側入出力コネクタと携帯端末の端子との接続に基づいて入退出状態を管理データベースに管理し、遊技制御手段は、遊技側入出力コネクタと携帯端末の端子との接続に基づいて遊技制御を行い、課金制御手段は、課金側入出力コネクタを介して携帯端末との間で課金処理を行う。
【００１９】
本発明によれば、遊技側入出力コネクタ、課金側入出力コネクタ等のコネクタに携帯端末の端子を接続することによって、入退出管理装置、遊技装置、課金装置等の各装置との間の通信接続を確立するため、利用者に情報漏れに対する安心感を持たせることができる。
【００２０】
また、入退出管理側入出力コネクタとの接続時に、携帯端末を特定する照合コードを設定することで、遊技施設内での利用状態を統括して把握し管理することができる。
【００２１】
【発明の実施の形態】
以下、本発明の実施の形態を図を参照しながら詳細に説明する。
図１は、本発明の遊技施設の概要を説明するための概略ブロック図である。
遊技施設１は、入退出管理装置２、遊技装置３、課金装置４を備え、ＬＡＮ等で接続される。
入退出管理装置２は、遊技施設１の受付を行う部分であって、利用者の遊技施設１内への入場、及び遊技施設１外への退場を管理する他、請求処理を行うこともできる。入退出管理装置２は、利用者が所有する携帯端末５の端子を接続しデータの授受を行う入退出側入出力コネクタ２ａと、入退出管理装置２内のデータ管理の制御を行う管理手段２ｂと、データを記録するデータベース２ｃ〜２ｆと、請求処理を行う請求処理手段２ｇを備える。
【００２２】
入退出側入出力コネクタ２ａは、携帯端末５の端子を接続することで管理手段２との間の通信を確立する。管理手段２ｂは、入退出側入出力コネクタ２ａを介して携帯端末５との間で行うデータの授受、データベース２ｃ〜２ｆ，遊技装置３，課金装置４との間で行うデータの授受を制御する他、利用者に対する照合コードの設定処理や、請求処理手段２ｇに対する請求処理を行う。
【００２３】
データベースは、例えば、遊技データベース２ｃ，課金データベース２ｄ，照合コードデータベース２ｅ，顧客データベース２ｆ等を備える。遊技データベース２ｃは、各遊技装置３から遊技データを取り込み、各利用者の遊技状態を記録する。課金データベース２ｄは、各遊技装置３から課金データを、課金装置４から支払データを取り込んで各利用者の課金情報を記録する。照合コードデータベース２ｅは、利用者が遊技施設に入場した際に管理手段２ｂが設定した照合コードを記録する。また、顧客データベース２ｆは、遊技施設１を利用する顧客の携帯端末の固有情報（例えば、携帯端末の番号、ＩＤコード）や顧客の個人情報（氏名や住所やメール情報）等を記録する。これらデータベースに対するデータの書き込み及びデータの読み出しは管理手段２ｂによって行われる。
【００２４】
照合コードは、遊技施設内において携帯端末５を特定するため使用することができ、携帯端末５を特定することで利用者の遊技状態の管理を行うことができる。管理手段２ｂは、携帯端末５が入退出側入出力コネクタ２ａに接続された時点で、携帯端末５に対して照合コードを設定する。入退出管理装置２は、照合コードデータベース２ｅに格納された照合コードと利用者の照合コードとを照合することによって、利用者の退出を管理する。
【００２５】
また、請求処理手段２ｇは、入退出管理装置２において支払処理を行う場合に、利用者が口座を持つ金融機関６に対して請求処理を行ったり、あるいは、送付処理部７に対して利用者に対する請求書等の書類送付を行わせる。金融機関６からの引き落としは、ＣＡＦＩＳと呼ばれる共同利用型クレジット・オンライン・システムを利用して行う他に、本発明の課金装置が銀行やクレジット会社と直接接続して行うことができる。
管理手段２ｂは、ＬＡＮ等によって複数の遊技装置３Ａ〜３Ｄ、課金装置４Ａ〜４Ｄと接続し、各遊技装置３から各利用者毎の遊技状態のデータや課金データを取得する他、利用者を特定するための照合コードを設定し、各遊技装置３や課金装置４に通知する。
【００２６】
遊技装置３は、ゲーム装置、カラオケ装置、映像表示装置、音響再生装置等、種々の遊技機器を備える部分であり、サーバー８から取得した情報を表示する表示装置を備えることもできる。
遊技装置３は、携帯端末５の端子を接続しデータの授受を行う遊技側入出力コネクタ３ａと、遊技装置３内に備える遊技機器やデータの管理、及び外部装置との間で行うデータの送受信制御を行う制御手段３ｂと、データを記録するデータベース３ｃ，３ｄ，３ｅと、遊技機器３ｆと、サーバー８等と接続するための送受信手段３ｇと、遊技装置の動作や課金処理等の操作を入力する入力手段３ｈと、遊技に関する画像や課金処理等に関する画像を表示する表示手段３ｉと、遊技に関する音声や課金処理等に関する音声を発生するスピーカ等の音響装置３ｊを備える。
【００２７】
遊技側入出力コネクタ３ａは、携帯端末５の端子と接続することで制御手段３ｂとの間の通信を確立する。制御手段３ｂは、遊技側入出力コネクタ３ａを介して携帯端末５との間で行うデータの授受、データベース３ｃ〜３ｅ，入退出管理装置２，課金装置４等との間で行うデータの授受を制御する他、携帯端末５から取り込んだ照合コードの照合処理や、送受信手段２ｇを介して行うサーバー８とのデータの授受を行う。
【００２８】
データベースは、例えば、遊技データベース３ｃ，課金データベース３ｄ，照合コードデータベース３ｅ等を備える。遊技データベース３ｃは、遊技装置３における遊技データを各利用者毎に記録する。課金データベース３ｄは、遊技状態に基づく課金データを各利用者毎に記録する。照合コードデータベース３ｅは、入退出管理装置３から各携帯端末５に設定された照合コードを取り込んで記録する。これらデータベースに対するデータの書き込み及びデータの読み出しは制御手段２ｂによって行われる。
【００２９】
各遊技装置３が備える照合コードデータベース３ｅには、入退出管理装置２からは各携帯端末５に設定された特定の照合コードが送られて格納される。この照合コードは、利用者の携帯端末５と各遊技装置３との対応付けを行う。制御手段３ｂは、遊技側入出力コネクタ３ａに携帯端末５の端子が接続されると、携帯端末５から照合コードを読み取り、照合コードデータベース３ｅに格納されている照合コードとの照合処理を行う。照合コードは、利用者の携帯端末５と各遊技装置３とが対応付けられて設定されており、携帯端末５から取り込んだ照合コードが設定された照合コードと一致している場合には適切な利用者であると判断し、その遊技装置の利用を許容する。一方、携帯端末５から取り込んだ照合コードが遊技装置３に設定される以外の照合コードである場合には、不適切であると判断し、その遊技装置の利用を許容しない。
【００３０】
また、送受信手段３ｇは、サーバー８等の外部装置と接続し、種々の情報を取り込むことができる。例えば、サーバー８がカラオケ情報を管理するサーバーである場合には、このサーバーに対して利用曲を要求し、音楽情報をダウンロードする。
【００３１】
課金装置４は、遊技装置３の利用に伴う課金情報を参照したり、料金の支払処理を行う部分であり、携帯端末５の端子を接続することによって携帯端末５側から処理を行うことができる。
課金装置４は、携帯端末５の端子を接続しデータの授受を行う課金側入出力コネクタ４ａと、課金情報の参照や料金の支払処理を制御する制御手段４ｂと、参照や支払処理等の操作を入力する入力手段４ｈと、課金処理に関する表示を行う表示手段４ｉを備える。
【００３２】
課金側入出力コネクタ４ａは、携帯端末５の端子と接続することで制御手段４ｂとの間の通信を確立する。制御手段４ｂは、課金側入出力コネクタ４ａを介して携帯端末５との間で行うデータの授受、入退出管理装置２，遊技装置３等との間で行うデータの授受を制御する他、携帯端末５から取り込んだ照合コードの照合処理を行う。
制御手段４ｂは、課金側入出力コネクタ４ａに携帯端末５の端子が接続されると、携帯端末５から照合コードを読み取り、遊技装置３が備える照合コードデータベース３ｅに格納されている照合コードとの照合処理を行う。携帯端末５から入力された照合コードが遊技装置３の照合コードデータベース３ｅに設定される照合コードと一致した場合には適切な利用者であると判断し、課金に関する処理を行う。一方、携帯端末５から入力した照合コードが設定以外の照合コードである場合には、不適切であると判断し、課金に関する処理を行わない。
【００３３】
課金に関する処理としては、遊技装置の利用に基づいて発生した料金に関する課金情報の表示や、利用者による料金の支払がある。この課金情報の表示や支払処理は、課金側入出力コネクタ４ａに接続された携帯端末５によって行うことができ、携帯端末５のボタン等の入力手段によって操作を行い、表示画面に表示することができる。また、この課金情報の表示や支払処理は、課金装置４が備える表示手段４ｉや入力手段４ｈを用いて行うこともできる。
【００３４】
なお、課金装置４は、課金データベースや照合コードデータベースを備える構成とすることもできるが、通常、遊技装置３と課金装置４とは関連しているため、ここでは遊技装置３側に設けて共用する構成を示している。遊技装置３と課金装置４とが一対一で対応していない場合には、課金データベースや照合コードデータベースはそれぞれに設ける構成や、共通の課金データベースや照合コードデータベースを設けることもできる。
【００３５】
次に、本発明の遊技施設が備える各入退出管理装置、遊技装置、及び課金装置の動作例について説明する。
はじめに、入退出管理装置の動作例について、図２〜図６を用いて説明する。図２は本発明の入退出管理装置の動作を説明するためのフローチャートである。入退出管理装置２の管理手段２ｂは、入退出側入出力コネクタ２ａに携帯端末５の端子が接続されたことを検出すると（ステップＳ１）、入退出側入出力コネクタ２ａを介して接続された携帯端末５に対してＩＤ要求信号を送る。ＩＤは、遊技施設１が各利用者の携帯端末５に対して設定するコードであり、顧客データの作成に用いられる。既に設定されたＩＤは、顧客データベース２ｆに格納されている（ステップＳ２）。
【００３６】
携帯端末５からＩＤ信号が送信された場合には（ステップＳ３）、このＩＤを顧客データベース２ｆに格納されているＩＤと照合して確認を行う（ステップＳ４）。
ＩＤが確認された場合には（ステップＳ５）、遊技装置を既に利用中であるか否かを調べる。これは、利用者が遊技施設を退出する場合や、一時的に外出していた利用者が再度遊技施設に戻る場合等を判断するための処理である。この処理は、利用者が遊技施設を利用する際に、各携帯端末５に設定する照合コードによって行うことができる。この照合コードは、管理手段２ｂが入退出側入出力コネクタ２ａに接続された携帯端末５に対して設定し、照合コードデータベース２ｅに格納しておく。
【００３７】
管理手段２ｂは、携帯端末５から入退出側入出力コネクタ２ａを介して照合コードを入力し、照合コードデータベース２ｅに格納されている照合コードと照らし合わせる。照合コードの照会によって、利用者が遊技施設を既に利用していると判断された場合（ステップＳ６）、精算を行わずに退出する場合には（ステップＳ７）退出処理を行い（ステップＳ８）、精算処理を行う場合には（ステップＳ７）精算処理を行う（ステップＳ９）。
【００３８】
また、ステップＳ３の工程において携帯端末５からＩＤ信号が受信されない場合や、ステップＳ５の工程においてＩＤが確認できない場合には、管理手段２ｂはＩＤを設定して顧客データベース２ｆに登録すると共に（ステップＳ１０）、入退出側入出力コネクタ２ａを介して携帯端末５に設定したＩＤを送信する（ステップＳ１１）。
【００３９】
ステップＳ１０，１１の工程でＩＤを設定した後、あるいは、ステップＳ６の工程で遊技施設の利用を開始する場合に、その利用者に同じ遊技装置を利用する同伴者があり（ステップＳ１２）、既に利用する遊技装置が設定されている場合には（ステップＳ１３）、その利用者に同伴する利用者と同じ遊技装置を設定する。この利用する遊技装置の設定は、同伴者に設定した照合コードと同じ照合コードを設定することで行うことができる（ステップＳ１４）。
【００４０】
一方、同じ遊技装置を利用する同伴者がいない場合（ステップＳ１２）や、遊技装置を利用する同伴者が利用する遊技装置が未設定である場合には（ステップＳ１３）、利用する遊技装置を設定する。この利用する遊技装置の設定は、照合コードを設定することで行うことができる（ステップＳ１５）。
【００４１】
ステップＳ１４，１５で設定した照合コードは、照合コードデータベース２ｅに格納する他、設定した遊技装置３の制御手段３ｂに送信して照合コードデータベース２ｅに格納する。
管理手段２ｂは、この照合コードを用いて利用者の入退出時刻を記録して入退出管理を行う（ステップＳ１６）。
【００４２】
次に、図３，図４を用いて入退出管理装置による退出処理及び精算処理について説明する。なお、この退出処理及び精算処理は前記したステップＳ８の工程及びステップＳ９の工程に対応している。
図３において、管理手段３ｂは顧客データベース２ｆあるいは課金データベース２ｄから利用者の精算に関する情報を取得し（ステップＳ８ａ）、利用者の精算が完了しているか否かを調べる。なお、このとき、顧客データベース２ｆあるいは課金データベース２ｄには、課金装置４において利用者が利用者の支払が完了しているか、あるいは未完であるかについての情報が記録されているものとする（ステップＳ８ｂ）。
【００４３】
ステップＳ８ｂの工程において、精算が完了している場合には処理を終了する。精算が未完である場合において、精算を行う場合には（ステップＳ８ｃ）精算処理を行う（ステップＳ９）。また、精算を行わない場合には（ステップＳ８ｃ）、管理手段２ｂは顧客データベース２ｆに退出時間を記録する（ステップＳ８ｄ）。
その後、再入場する場合には（ステップＳ８ｅ）、管理手段２ｂは、入退出側入出力コネクタ２ａに携帯端末５の端子が接続されたことを検出すると、（ステップＳ８ｆ）、入退出側入出力コネクタ２ａを介して接続された携帯端末５から照合コードを取得し（ステップＳ８ｇ）、照合コードデータベース２ｅに格納されている照合コードと照合コードして確認を行う（ステップＳ８ｈ）。確認の後、管理手段２ｂは顧客データベース２ｆに再入場時間を記録する（ステップＳ８ｉ）。
【００４４】
一方、再入場がなく（ステップＳ８ｅ）、所定時間が経過した場合には（ステップＳ８ｊ）、課金データベース２ｄに基づいて利用者に対する請求データを作成し、請求処理を行う。なお、作成した請求データは顧客データベース２ｆに格納しておくことができる（ステップＳ８ｋ）。請求処理手段２ｇは、顧客データベース２ｆから利用者が利用する金融機関情報、利用者の住所、利用者の請求データ等の情報を読み出して精算書を作成し、送付処理部７から利用者に送付する（ステップＳ８ｌ）。
【００４５】
図４において、管理手段２ｂは課金データベース２ｄから利用者の課金データを取得し（ステップＳ９ａ）、この課金データを入退出側入出力コネクタ２ａを介して接続される携帯端末５に送り、携帯端末５の表示画面の表示させる。なお、課金データは、入退出管理装置２が備える表示装置（図示していない）に表示することもできる（ステップＳ９ｂ）。
利用者は、各自の携帯端末５の表示画面あるいは入退出管理装置２が備える表示装置に表示される課金データを参照し、支払者を決める。この支払者の決定において、同じ遊技装置を複数の利用者で利用したとき、各利用者を支払者とする場合、及び一人の利用者が支払者となる場合がある（ステップＳ９ｃ）。
【００４６】
各利用者毎に支払を行う場合には、各利用者が支払う支払金額の割り振りを行い、各利用者に割り振った支払金額を顧客データベース２ｆに記録する。なお、各利用者に対して支払金額の割り振りを各利用者が遊技装置を利用した使用状況に応じて定めたり、あるいは割り振り処理を各利用者の携帯端末で行うには、各携帯端末を特定する必要がある。そこで、この場合には、各携帯端末を区別できる照合コードを設定すると共に、共通の遊技装置を利用することを表すために各照合コードに共通するコード部分を付したものを使用する（ステップＳ９ｄ）。各利用者の支払金額を定めた後、各利用者による支払方法を設定し（ステップＳ９ｅ）、支払処理を行った後（ステップＳ１０）、顧客データベース２ｆを更新する（ステップＳ９ｇ）。
【００４７】
図５は、上記ステップＳ１０の工程による支払処理を説明するためのフローチャートである。
支払処理において支払方法を選択する。支払方法としては、例えば、現金による処理、クレジットカードによる処理、金融機関に対する振り込み処理等の種々のものがあり、何れによって支払を行うかを選択する（ステップＳ１０ａ）。
【００４８】
現金による支払を選択した場合には、受付け部で支払を行う（ステップＳ１０ｂ）。クレジットカードによる支払を選択した場合には、受付け部に設けたＰＯＳ装置等によって支払を行う（ステップＳ１０ｃ）。また、金融機関に対する振り込みによる支払を選択した場合には、利用者は各自の携帯端末５から入退出側入出力コネクタ２ａを介して金融機関６に接続し、暗証コードや支払金額を転送して支払処理を行う。なお、金融機関６との接続は、ＣＡＦＩＳ（共同利用型クレジット・オンライン・システム）を利用して銀行やクレジット会社との間をＣＡＦＩＳセンターを介して接続し、ＣＡＦＩＳセンターにおいて利用限度額や有効性のチェックを行って引き落とし処理を行う他、ＣＡＦＩＳセンターを介在することなく金融機関６と直接接続を行って引き落とし処理を行うこともできる（ステップＳ１０ｅ）。各支払処理が終了した後、請求処理手段２ｇは支払明細書を発行して支払処理を終了する（ステップＳ１０ｆ）。
【００４９】
図６は、入場時及び退出時における、入退出管理装置と携帯端末との間の処理を説明するために処理関係図である。なお、文中の（  ）に示す番号は、図６中に示す番号と対応している。なお、以下では、携帯端末ａはＩＤが未設定であり、携帯端末ｂにはＩＤが設定されているものとする。
【００５０】
利用者ａが入場する場合には、利用者ａは所有する携帯端末ａの端子を入退出管理装置２の入退出側入出力コネクタ２ａに接続する（１）。入退出管理装置２は、携帯端末ａにＩＤが設定されていない場合にはＩＤを設定し（２）、設定したＩＤを携帯端末ａに送信する（３）。携帯端末ａはこのＩＤを受信して（４）記憶する（５）。
【００５１】
入退出管理装置２は、携帯端末ａについて入退出管理を行い（６）、利用する遊技装置を定め照合コードを設定して携帯端末ａに送信する（７）。携帯端末ａはこの照合コードを受信する。照合コード中に利用する遊技装置を表すコードを含ませることによって、携帯端末ａの表示画面に利用する遊技装置を表示することができる（８）。
【００５２】
また、利用者ｂが入場する場合には、利用者ｂは所有する携帯端末ｂの端子を入退出管理装置２の入退出側入出力コネクタ２ａに接続すると共にＩＤを送信する（９）。入退出管理装置２はＩＤを確認した後（１０）、携帯端末ｂについて入退出管理を行い（１１）、利用する遊技装置を定め照合コードを設定して携帯端末ｂに送信する。ここで、携帯端末ａと携帯端末ｂとが共通の遊技装置を利用する場合には、設定する照合コードに共通の遊技装置を利用する情報を付加する（１２）。携帯端末ｂはこの照合コードを受信する。照合コード中に利用する遊技装置を表すコードを含ませることによって、携帯端末ｂの表示画面に利用する遊技装置を表示することができる（１３）。
【００５３】
一方、利用者ａが退出する場合には、利用者ａは所有する携帯端末ａの端子を入退出管理装置２の入退出側入出力コネクタ２ａに接続すると共に、照合コードを入退出側入出力コネクタ２ａを介して入退出管理装置２に送信する（２１）。入退出管理装置２は照合コードを受信し（２２）、照合コードを確認し（２３）、入退出管理を行う（２４）。利用者ｂの退出についても同様の処理とすることができる。
【００５４】
図７は、携帯端末と入出力コネクタとの接続状態を説明するための概略図である。なお、図７に示す入出力コネクタは、本発明が備える入退出管理装置、遊技装置、及び課金装置に共通する構成とすることができる。
【００５５】
図７（ａ）は一台の携帯端末を接続する構成例であり、図７（ｂ）は複数台の携帯端末を接続する構成例である。図７（ａ）において、装置本体１０は、携帯端末５の端子を接続可能とするコネクタを備える。コネクタは、携帯端末５の端子部分を挿入するコネクタ開口部１１を備える構成とすることができ、このコネクタ開口部１１に携帯端末５の端子部分を挿入することによって、携帯端末５と装置本体１０との接続を行うことができる。また、装置本体１０は、表示画面１２を備え、入退出の管理情報や、遊技状態を表す情報、あるいは課金情報を表示することができる。
【００５６】
図７（ｂ）において、装置本体１０は、複数台の携帯端末５の端子を接続可能とする複数のコネクタを備え、複数の携帯端末５の端子部分を挿入する複数のコネクタ開口部１１ａ〜１１ｃを備える構成とすることができる。このコネクタ開口部１１ａ〜１１ｃに携帯端末５ａ〜５ｃの端子部分を挿入することによって、携帯端末５ａ〜５ｃと装置本体１０との接続を行うことができる。また、装置本体１０は、表示画面１２の他、入力用の操作面１３を備えることができ、入退出時の入力操作や、遊技装置の操作、あるいは課金処理の操作を入力することができる。なお、各装置における表示は、表示画面１２に行うことも、接続する各携帯端末５の表示画面の行うこともできる。
【００５７】
次に、本発明の遊技装置における動作例を図８のフローチャートを用いて説明する。
遊技装置３において、携帯端末５の端子を遊技側入出力コネクタ３ａに接続する（ステップＳ２１）。遊技装置３の制御手段３ｂは、接続された携帯端末５から照合コードを取り込み（ステップＳ２２）、照合コードデータベース３ｅに格納される照合コードと照合する。なお、照合コードデータベース３ｅは、入退出側管理装置２側にのみ設置し、ＬＡＮ等のネットワークを介して取り込む構成とすることもできる（ステップＳ２３）。
【００５８】
照合コードが一致した場合には（ステップＳ２４）、遊技装置３は携帯端末５を所有する利用者の利用を許容する。この遊技装置の使用許容は、例えば遊技装置３がカラオケボックスのような部屋を備える場合には、その部屋のドアを開錠する構成としたり、各装置の使用を許容する構成とすることができる（ステップＳ２５）。
【００５９】
使用を許容した遊技装置は、管理手段２ｂに通知すると共に、照合コードで特定される利用者について遊技装置の利用状態の管理、及びこの遊技装置の利用状態に伴う課金の管理を開始する。利用状態のデータは遊技データベース３ｃに格納し、課金データは課金データベース３ｄに格納する。照合コードは、携帯端末と特定することで各利用者を特定することができるため、利用状態や課金状態を利用者毎に管理することができる（ステップＳ２６）。
【００６０】
次に、本発明の課金装置における動作例を図９のフローチャート、及び図１０，１１，１２の処理関係図を用いて説明する。
課金装置４において、携帯端末５の端子を遊技側入出力コネクタ３ａに接続する（ステップＳ３１）。課金装置４の制御手段４ｂは、接続された携帯端末５から照合コードを取り込み（ステップＳ３２）、照合コードデータベース３ｅに格納される照合コードと照合する。なお、照合コードデータベース３ｅは、入退出側管理装置２側にのみ設置し、ＬＡＮ等のネットワークを介して取り込む構成とすることもできる（ステップＳ３３）。
【００６１】
照合コードが一致した場合には（ステップＳ３４）、課金装置４は課金データベース３ｄから、照合コードに基づいて課金データを取り込み、携帯端末５に転送する（ステップＳ３５）。携帯端末５は、転送された課金データを表示し、課金装置側で支払を行うか否かを定める。なお、課金データの表示は、制御手段４ｂによって表示手段４ｉに表示することもできる（ステップＳ３６）。
【００６２】
課金装置側で支払を行う場合には（ステップＳ３６）、制御手段４ｂは携帯端末から支払を行う金融機関のデータ及び暗証コード等のデータを取り込み（ステップＳ３７）、管理手段２ｂを介して金融機関６に接続し、暗証コード及び支払金額等のデータを送る。金融機関のデータ及び暗証コードは、携帯端末５から入力するが、課金装置４が備える入力手段４ｈから入力することもできる（ステップＳ３８）。
【００６３】
管理手段２ｂは、金融機関６から支払通知を受け（ステップＳ３９）、課金データベース２ｄ及び顧客データベース２ｆに支払処理済みであることを記録してデータ更新を行うと共に（ステップＳ４０）、制御手段４ｂを介して携帯端末５に支払通知を通知する（ステップＳ４１）。
【００６４】
図１０〜図１２は課金に伴う処理を説明するために処理関係図であり、図１０は一人の利用者による精算処理であり、図１１は複数の利用者による精算処理である。また、図１２は各種サービスの利用、及び課金データの参照処理である。なお、文中の（  ）に示す番号は、図１０〜１２中に示す番号と対応している。
【００６５】
一人の利用者によって精算を行う場合には、図１０において、携帯端末５から精算要求が出されると（３１）、課金装置４は精算要求を遊技装置３に転送する（３２）。遊技装置３は転送された精算要求を受信すると（３４）、課金データベース３ｄ（あるいは課金データベース２ｄ）から課金データを読み出し（３４）、精算データを作成して（３５）、課金装置４に送信する（３６）。課金装置４は、精算データを表示手段４ｉ（あるいは携帯端末５の表示画面）に表示する（３７）。
【００６６】
利用者は、表示された精算データを参照し、課金装置４で支払を行う場合には、携帯端末５から金融機関や暗証コードのデータを課金装置４に送信する（３８）。課金装置４及び遊技装置３は、送信されたデータを入退出管理装置２に転送する（３９，４０）。入退出管理装置２は、転送されたデータを受信し（４１）、金融機関のデータを顧客データベースに記録すると共に（４２）、金融機関６に転送する（４３）。金融機関６は転送されたデータを受信し（４４）、支払処理を行って（４５）、処理データを入退出管理装置２に送る（４６）。
【００６７】
入退出管理装置２は、処理データを受け取って精算処理を行って課金データベースや顧客データベースを更新し（４７）、精算結果を通知する（４８）。遊技装置３は、精算結果を課金装置４に転送し（４９）、課金装置４は転送された精算結果を表示手段４ｉ（あるいは携帯端末５の表示画面）に表示する（５０）。
【００６８】
複数の利用者によって精算を行う場合には、図１１において、例えば携帯端末ａから個別に精算する要求が出されると（６１）、課金装置４は精算要求を遊技装置３に転送する（６２）。遊技装置３は転送された精算要求を受信すると（６３）、課金データベース３ｄ（あるいは課金データベース２ｄ）から課金データを読み出し（６４）、精算データを作成して（６５）、課金装置４に送信する（６６）。課金装置４は、精算データを表示手段４ｉ（あるいは携帯端末ａの表示画面）に表示する（６７）。
【００６９】
複数の利用者は、表示された精算データを参照し、課金装置４で支払を行う場合には、各携帯端末ａ，ｂから支払金額あるいは支払の割合を入力し（６８）、支払額を設定する（６９）。課金装置４は、設定した各支払額を遊技装置３を介して（７０）入退出管理装置２に送る（７０，７１）。入退出管理装置２は、送られた支払額を課金データベース及び顧客データベースに記録する（７２）。
【００７０】
この後、各携帯端末ａ，ｂは、それぞれの金融機関や暗証コードのデータを課金装置４に送信する（７３）。課金装置４及び遊技装置３は、送信されたデータを入退出管理装置２に転送する（７４，７５）。入退出管理装置２は、転送されたデータを受信し（７６）、各金融機関のデータを各顧客データベースに記録すると共に（７７）、各金融機関６に転送する（７８）。各金融機関６は転送されたデータを受信し（７９）、支払処理を行って（８０）、処理データを入退出管理装置２に送る（８１）。
【００７１】
入退出管理装置２は、処理データを受け取って精算処理を行って課金データベースや顧客データベースを利用者毎に更新し（８２）、精算結果を通知する（８３）。遊技装置３は、精算結果を課金装置４に転送し（８４）、課金装置４は転送された精算結果を表示手段４ｉ（あるいは各携帯端末ａ，ｂの表示画面）に表示する（８５）。
各種サービスの利用する場合には、図１２において、携帯端末ａ，ｂからサービスが選択されると（９１ａ，９１ｂ）、遊技装置３は選択されたサービス要求を受け（９２ａ，９２ｂ）、そのサービスを実施する（９３ａ，９３ｂ）。このサービスは、遊技装置が提供する種々のサービスであり、例えば、ゲーム、カラオケ、映像表示、音響再生、サーバーやデータベースから取得する情報提供等がある。遊技装置３は、サービスの実施に伴う料金を、課金データベース３ｄ，２ｄに記録する（９４ａ，９４ｂ，９５ａ，９５ｂ）。
【００７２】
また、課金データの参照処理する場合には、図１２において、携帯端末ａから課金データ参照要求が出されると（１０１）、課金装置４は遊技装置３に転送する（１０２）。遊技装置３は転送された課金データ参照要求を受け（１０３）、課金データベース３ｄ（あるいは課金データベース２ｄ）から課金データを読み出し（１０４）、課金装置４に転送する（１０５）。課金装置４は転送された課金データを表示手段４ｉ（あるいは各携帯端末ａの表示画面）に表示する（１０６）。
【００７３】
本発明の実施態様によれば、入退出管理装置、遊技装置、課金装置は、それぞれ携帯端末の端子と接続する入出力コネクタを介してデータの授受を行うことができるため、金融機関の暗証データ等の漏洩に不安があるデータについて、より安心感を持って送信処理を行うことができる。
【００７４】
また、入退出管理装置を通過する際に、照合コードを設定することで、遊技施設内の入退出管理装置、遊技装置、課金装置等の各装置の利用を携帯端末を用いて行うことができる。
【００７５】
【発明の効果】
以上説明したように、本発明によれば、携帯端末を用いた処理に対して利用者に安心感をもたせることができる。また、遊技施設における課金や入退出管理での携帯端末の利用において、利用者に安心感をもたせることができる。
【図面の簡単な説明】
【図１】本発明の遊技施設の概要を説明するための概略ブロック図である。
【図２】本発明の入退出管理装置の動作を説明するためのフローチャートである。
【図３】本発明の入退出管理装置による退出処理動作を説明するためのフローチャートである。
【図４】本発明の入退出管理装置による精算処理動作を説明するためのフローチャートである。
【図５】支払処理を説明するためのフローチャートである。
【図６】入場時及び退出時における、入退出管理装置と携帯端末との間の処理を説明するために処理関係図である。
【図７】携帯端末と入出力コネクタとの接続状態を説明するための概略図である。
【図８】本発明の遊技装置における動作例を説明するためのフローチャートである。
【図９】本発明の課金装置における動作例を説明するためのフローチャートである。
【図１０】一人の利用者による精算処理を説明するための処理関係図である。
【図１１】複数の利用者による精算処理を説明するための処理関係図である。
【図１２】各種サービスの利用、及び課金データの参照処理を説明するための処理関係図である。
【符号の説明】
１  遊技施設
２  入退出管理装置
２ａ  入退出側入出力コネクタ
２ｂ  管理手段
２ｃ  遊技データベース
２ｄ  課金データベース
２ｅ  照合コードデータベース
２ｆ  顧客データベース
２ｇ  請求処理手段
３  遊技装置
３ａ  遊技側入出力コネクタ
３ｂ  制御手段
３ｃ  遊技データベース
３ｄ  課金データベース
３ｅ  照合コードデータベース
３ｆ  遊技機器
３ｇ  送受信手段
３ｈ  入力手段
３ｉ  表示手段
３ｊ  音響手段
４  課金装置
４ａ  課金側入出力コネクタ
４ｂ  制御手段
４ｈ  入力手段
４ｉ  表示手段
５  携帯端末
６  金融機関
７  送付処理部
８  サーバー
１０  装置本体
１１，１１ａ，１１ｂ，１１ｃ  コネクタ開口部
１２  表示画面
１３  操作面
【図１】
0004093772.tif 000002
【図２】
0004093772.tif 000003
【図３】
0004093772.tif 000004
【図４】
0004093772.tif 000005
【図５】
0004093772.tif 000006
【図６】
0004093772.tif 000007
【図７】
0004093772.tif 000008
【図８】
0004093772.tif 000009
【図９】
0004093772.tif 000010
【図１０】
0004093772.tif 000011
【図１１】
0004093772.tif 000012
【図１２】
0004093772.tif 000013